【手続補正書】
【提出日】平成16年2月16日(2004.2.16)
【手続補正１】
【補正対象書類名】特許請求の範囲
【補正対象項目名】全文
【補正方法】変更
【補正の内容】
【特許請求の範囲】
【請求項１】
クライアント装置上の表示ページコンテキストに配置される複数の表示オブジェクトを有する表示ページを変更する方法であって、
再表示のための前記表示ページの表示オブジェクトを起動するステップと、
前記起動された表示オブジェクトの識別を少なくとも含むダウンロードリクエストを介して、サーバ装置から該起動された表示オブジェクトについての表示データをダウンロードするステップと、
前記表示ページの別の表示オブジェクトとの相互関係を維持しながら、前記表示ページの同一位置の前記ダウンロードされた表示データによって、前記起動された表示オブジェクトを再表示するステップと
を備えることを特徴とする方法。
【請求項２】
クライアント装置上の表示ページコンテキストに配置される複数の表示オブジェクトを有する表示ページを変更する方法であって、
再表示のための前記表示ページの表示オブジェクトを起動するステップと、
前記表示データの識別を含むダウンロードリクエストを介して、サーバ装置から該起動された表示オブジェクトについての表示データをダウンロードするステップと、
前記クライアント装置で再表示するための表示データを処理するステップと、
前記表示ページの別の表示オブジェクトとの相互関係を維持しながら、前記表示ページの同一位置の前記処理された表示データによって、前記起動された表示オブジェクトを再表示するステップと
を備えることを特徴とする方法。
【請求項３】
前記表示オブジェクトの表示特性は、再表示のために変更される
ことを特徴とする請求項１または２に記載の方法。
【請求項４】
前記ダウンロードリクエストは、再表示のための前記表示特性を示す少なくとも１つのパラメータを有する
ことを特徴とする請求項１または２に記載の方法。
【請求項５】
前記ダウンロードリクエストは、再表示ダウンロードリクエストとして前記サーバ装置に提供される
ことを特徴とする請求項１乃至４のいずれか１項に記載の方法。
【請求項６】
前記表示ページは、ウェブページであり、前記表示オブジェクトは、前記ウェブページ内の画像オブジェクトである
ことを特徴とする請求項１乃至５のいずれか１項に記載の方法。
【請求項７】
前記表示特性は、前記起動された表示オブジェクトの再表示のために、前記クライアント装置で変更される
ことを特徴とする請求項２乃至６のいずれか１項に記載の方法。
【請求項８】
前記表示オブジェクトは、前記表示オブジェクトに対して定義されるセンサエリアを介して、選択的に起動される
ことを特徴とする請求項１乃至７のいずれか１項に記載の方法。
【請求項９】
クライアント装置上の表示ページコンテキストに配置される複数の表示オブジェクトを有する表示ページの変更をサポートするように適合されているサーバ装置を制御する方法であって、
前記表示オブジェクトの識別を少なくとも有する、前記表示オブジェクトについてのダウンロードリクエストを受信するステップと、
前記表示オブジェクトについての表示データを検索するステップと、
ユーザ対話を可能にするために、機能プログラムコードを表示データに組み込むステップと、
前記表示ページの別の表示オブジェクトとの相互関係を維持しながら、前記表示ページの同一位置の前記表示オブジェクトの再表示のために、前記クライアント装置へ前記表示データを送信するステップと
を備えることを特徴とする方法。
【請求項１０】
クライアント装置上の表示ページコンテキストに配置される複数の表示オブジェクトを有する表示ページの変更をサポートするように適合されているサーバ装置を制御する方法であって、
表示ページについてのダウンロードリクエストを受信するステップと、
前記表示ページについての表示データを検索するステップと、
ユーザ対話を可能にするために、機能プログラムコードを表示データに組み込むステップと、
前記表示ページの別の表示オブジェクトとの相互関係を維持しながら、前記表示ページの同一位置の前記表示ページオブジェクトの再表示のために、前記クライアント装置へ前記表示データを送信するステップと
を備えることを特徴とする方法。
【請求項１１】
前記表示データは、前記サーバ装置内で局所的に検索される
ことを特徴とする請求項９に記載の方法。
【請求項１２】
前記表示ページは、前記サーバ装置内で局所的に検索される
ことを特徴とする請求項１０に記載の方法。
【請求項１３】
前記表示データは、前記サーバ装置へのバックエンドネットワークからのダウンロードを介して、検索される
ことを特徴とする請求項９に記載の方法。
【請求項１４】
前記表示ページは、前記サーバ装置へのバックエンドネットワークからのダウンロードを介して、検索される
ことを特徴とする請求項１０に記載の方法。
【請求項１５】
前記表示データは、前記表示オブジェクトの識別への参照を介して検索される
ことを特徴とする請求項９に記載の方法。
【請求項１６】
前記表示データを検索するステップは、
前記表示オブジェクトの前記表示ページを識別するサブステップと、
表示ページ関連表示データを検索するサブステップと、
前記表示ページ関連表示データから表示オブジェクト関連表示データを抽出するサブステップと
を備えることを特徴とする請求項９に記載の方法。
【請求項１７】
前記表示ページを検索するステップは、
前記表示ページを識別するサブステップと、
表示ページ関連表示データを検索するサブステップと、
局所処理及び再表示のために、前記クライアント装置へ、前記表示データを送信するサブステップと
を備えることを特徴とする請求項１０に記載の方法。
【請求項１８】
前記表示オブジェクトの表示特性を変更するために、前記クライアント装置へ検索された表示データを送信する前に、前記検索された表示データを処理するステップを更に備える
ことを特徴とする請求項９に記載の方法。
【請求項１９】
表示ページコンテキストに配置されている複数の表示オブジェクトを有する表示ページを表示するように適合されているターミナルユニットであって、
当該ターミナルユニットは、請求項１乃至８のいずれか１項に記載の方法を実行するように適合されている処理ユニットを有する
ことを特徴とするターミナルユニット。
【請求項２０】
当該ターミナルユニットは、移動電話、パーソナルデジタルアシスタント、無線通信機能を有するモバイルコンピュータ、無線データ交換用の移動電話と相互に接続されているモバイルコンピュータを有するグループから選択される
ことを特徴とする請求項１９に記載のターミナルユニット。
【請求項２１】
クライアント装置上の表示ページコンテキストに配置されている複数の表示オブジェクトを有する表示ページの変更をサポートするように適合されているサーバ装置であって、
当該サーバ装置は、請求項９乃至１８のいずれか１項に従う方法を実行するように適合されている処理ユニットを有する
ことを特徴とするサーバ装置。
【請求項２２】
クライアント／サーバ処理ユニットの内部メモリに直接ロード可能なコンピュータプログラム製品であって、
当該製品が前記クライアント／サーバ処理ユニットのプロセッサ上で実行される場合に、当該製品は、請求項１乃至１８のいずれか１項に記載のステップを実行するソフトウェアコード部分を有する
ことを特徴とするコンピュータプログラム製品。